(57)【要約】【課題】大幅な設計変更を行うことなく、緊急時には手動操作により飲料供給源として庫内に収容した商品を供給することが可能な自動販売機を提供する。【解決手段】ソレノイド１７の励磁・釈放によりリンク機構１５を介して第１ストッパ部材１２および第２ストッパ部材１３を商品収納通路に交互に出没させて次販売商品を第２ストッパ部材１３で保持したうえで販売商品を払い出す商品搬出装置１０を備えた自動販売機であって、前記商品搬出装置１０の基板１１の外部から手動操作されるとともに前記第１ストッパ部材１２のロック解除動作をリンク機構１５に伝達する連結部材５０（引き外し部材）を設け、当該連結部材５０（引き外し部材）を直接、若しくはアタッチメント部材を介して手動操作することにより商品搬出装置１０を作動させて販売商品を払い出す。【選択図】図２
2015079365.tif 000002
【特許請求の範囲】
【請求項１】
断熱筐体として形成された本体キャビネットの商品収納庫内に、前後縁に外方に膨出した膨出部を有する左右のラック側板間に前後列に並べて画成した蛇行状の商品収納通路に商品を横倒し状態で収納するとともに下端部に商品搬出装置を有する商品収納ラックが配設された自動販売機であって、前記商品搬出装置は、基板の開口部から商品収納通路に出没自在に軸支され、前記商品収納通路の販売順位一番の商品（販売商品）を保持する態様で前記商品収納通路に突出する突出位置に向けて付勢され、前記販売商品の保持を解放する態様で前記商品収納通路から退避する退避位置に移動可能に設けた第１ストッパ部材と、前記基板の開口部から商品収納通路に出没自在に軸支され、前記商品収納通路から退避する退避位置に向けて付勢され、前記商品収納通路の販売順位二番の商品（次販売商品）を保持する態様で前記商品収納通路に突出する突出位置に移動可能に設けた第２ストッパ部材と、前記第１ストッパ部材および第２ストッパ部材を突出位置と退避位置とに移動させ、かつ、前記第１ストッパ部材および第２ストッパ部材を突出位置にロックする態様で往復動作するリンク機構と、前記リンク機構を駆動するソレノイドとを備え、前記ソレノイドの励磁・釈放によりリンク機構を介して第１ストッパ部材および第２ストッパ部材を商品収納通路に交互に出没させて次販売商品を第２ストッパ部材により保持したうえで販売商品を払い出すものにおいて、前記商品搬出装置の基板の外部から手動操作されるとともに前記商品搬出装置における少なくとも第１ストッパ部材のロック解除動作をリンク機構に伝達する引き外し部材を設け、当該引き外し部材を直接、若しくはアタッチメント部材を介して手動操作することにより商品搬出装置を作動させて販売商品を払い出すことを特徴とする自動販売機。
【請求項２】
請求項１に記載の自動販売機において、引き外し部材は、一端が前記リンク機構に係合するとともに他端が基板の上フランジから外側に引き出される態様で基板の外方に延在する連結部材および前記連結部材の他端と係合する態様で前記左右一対のラック側板に上下方向にスライド自在に架設され、少なくとも一端がラック側板の外方に突出した可動バーからなり、アタッチメント部材は、ラック側板の膨出部により形成されるラック側板の外側のデッドスペースを前後方向に案内される態様でラック側板の前方から差し込まれる操作レバーからなり、前記操作レバーをラック側板の前方から差し込んで可動バーを上方にスライド移動させることにより連結部材を介して商品搬出装置を作動させることを特徴とする自動販売機。
【請求項３】
請求項２に記載の自動販売機において、連結部材の他端は下方に傾斜したフックを備え、当該フックは商品収納ラックの下方から商品搬出装置を装着する際、その傾斜面が可動バーに当接すると連結部材を撓ませるとともに前記可動バーを乗り越えると連結部材の復元力により可動バーと係合可能となることを特徴とする自動販売機。
【請求項４】
請求項１に係る自動販売機において、引き外し部材は、一端が前記リンク機構に係合するとともに他端が商品搬出装置の基板の下フランジに臨むスライド部材からなり、当該スライド部材を直接手動操作することより商品搬出装置を作動させることを特徴とする自動販売機。
【請求項５】
請求項４に係る自動販売機において、スライド部材の一端はリンク機構と少なくともソレノイドのストロークだけ遊びをもって連結されてなることを特徴とする自動販売機。
【発明の詳細な説明】
【技術分野】
【０００１】
この発明は、庫内に飲料などの商品を収容し、購入者が代金を投入して希望する商品を選択すると庫内に収容した商品を販売する自動販売機に係り、特に、震災などによりライフラインが停止した緊急時に自動販売機を飲料供給源として庫内に収容した商品を無料で提供できるようにした自動販売機に関する。
【背景技術】
【０００２】
缶入り飲料，ペットボトル入り飲料などの商品を販売する自動販売機は断熱筐体としてなる本体キャビネットの商品収納庫内に前記商品をコールド，ホット状態に区分して保存し、外扉のディスプレイ室内に複数の商品見本を左右に並べて展示し、前記商品見本に対応して設けられた商品選択ボタンの操作に基いて選択された商品を販売するように構成されている。この種の自動販売機について図１０を用いて説明する。
【０００３】
この自動販売機は、図１０に示すように、前面が開口した本体キャビネット１と、本体キャビネット１の前面にヒンジにより開閉可能に支持された外扉６とを備え、前記本体キャビネット１は鋼板製の外箱の内側、すなわち、上壁，左右側壁，背壁および底壁１ａにウレタンフォームからなる断熱ボードを配設して断熱筐体として構成されている。前記本体キャビネット１の断熱ボードで囲まれた商品収納庫内は断熱仕切板２により左右方向に複数の商品収納室３，４，５に区画されている。前記各商品収納室３，４，５には、この例ではサーペンタイン方式と呼ばれる蛇行した商品収納通路を有する商品収納ラック８がそれぞれ収設されている。前記本体キャビネット１の前面に開閉可能に支持された外扉６と本体キャビネット１における商品収納庫の前面との間には内扉７が配設され、この例では内扉７が上下に分割されている。下部側の内扉７には各商品収納室３，４，５の商品収納ラック８から払い出された商品を送出するシュータ９と対峙する位置に搬出扉７ａを有する商品搬出口が設けられている。前記搬出扉７ａは上端入口を軸支されて垂下するとともに自重により商品搬出口を閉塞して冷気若しくは暖気の流出を防止しており、シュート９を介して搬出される商品により押し開かれ、当該商品を外扉６の商品取出口６ａに送出するように形成されている。なお、前記外扉６の前面の上部域は商品見本を展示する透明板で覆われたディスプレイ室として形成され、前記透明板の前面には商品選択ボタンユニットが設けられ、商品選択ボタンユニットには展示された商品見本に対応して設けられた商品選択ボタンを有している。また、外扉６の前面には硬貨投入口、紙幣挿入口、硬貨返却口、返却レバー、商品取出口、ハンドルロックなどが設けられている。
【０００４】
前記商品収納ラック８は、図１１に示すように、平板状の薄板鋼板からなる左右一対のラック側板８１，８１、このラック側板８１，８１に上下方向に半ピッチずらして向かい合わせに架設した前後一対の湾曲状レールセグメント列８２の間に画成された前後複数列（図では５列）の蛇行状の商品収納通路８３、本体キャビネット１の前面開口に形成された商品投入口ＳＬ（図１０参照）と２列目以降の商品収納通路８３の上端入口とを連係するトップトレイ８４、前記それぞれの商品収納通路８３の下端出口に配設された商品搬出装置１０、この商品搬出装置１０と商品収納通路を挟んで対向配置された出口調整板１００とからなる。前記商品収納ラック８は、図１１の例では２列の商品収納通路８３を備えた前段側の商品収納ラック８ａ、および３列の商品収納通路８３を備えた後段側の商品収納ラック８ｂからなる２連のものであり、各商品収納ラック８ａ，８ｂの左右一対のラック側板８１，８１の上端に架設されたラック側フック金具８１１，８１１を商品収納庫の天井に敷設された本体側フック金具（不図示）に係止固定される。なお、左右一対のラック側板８１，８１の前後縁には外側に膨出するカール部若しくはダブルホールドされたフランジからなる膨出部が形成され、薄板鋼板からなるラック側板８１，８１の剛性を高めるとともにラック側板８１，８１の端縁エッジに手が触れることがないように構成されている。このような技術については実開昭６２−８１１９０号公報などに開示されて周知である。
【０００５】
前記商品搬出装置１０は、図１１に示すように、薄い箱形の基板１１の開口部から商品収納通路に出没自在に軸支され、販売順位一番の商品（販売商品）を保持する態様で前記商品収容通路８３に突出する突出位置に向けて移動し、前記販売商品の保持を解放する態様で前記商品収納通路８３から退避する退避位置に移動可能に設けた第１ストッパ部材１２と、前記基板１１の開口部から商品収納通路８３に出没自在に軸支され、前記商品収納通路８３から退避する退避位置に向けて付勢され、前記販売商品に続く販売順位二番の商品（次販売商品）を保持する態様で前記商品収納通路８３に突出する突出位置に移動可能に設けた第２ストッパ部材１３と、前記第１ストッパ部材１２および第２ストッパ部材１３を突出位置と退避位置とに移動させるリンク機構（図では基板１１に隠れて見えない）と、前記リンク機構を駆動するソレノイド（図では基板１１に隠れて見えない）とを有し、前記ソレノイドの励磁・釈放によりリンク機構を介して第１ストッパ部材１２および第２ストッパ部材１３を商品収納通路８３に交互に出没させて次販売商品を第２ストッパ部材１３で保持したうえで販売商品を払い出すように構成されている。また、商品搬出装置１０の基板１１の上下フランジには、ラック側板８１，８１に架設された棒状のピン部材Ｐ，Ｐと係合する係合部を設けて商品収納ラック８１，８１に着脱自在に装着されとともに前後に隣接する商品収納通路８３、図１１の例では第１，２列および第３，４列の商品収納通路８３，８３に対して２個の商品搬出装置１０，１０を背中合わせに抱き合わせて商品収納ラック８１，８１に取付けられる。前述した商品搬出装置１０のラック側板８１，８１に架設された棒状のピン部材Ｐ，Ｐへの取付けは特開平１１−２３２５４２号公報などに開示されて周知である。
【０００６】
ところで、自動販売機の庫内には缶入り飲料，ペットボトル入り飲料などの商品が収容されていることから、これを飲料供給源として提供すれば自動販売機が緊急時の食品供給拠点として役立つ。ところが、緊急時、特に震災などによりライフラインが停止した場合には自動販売機の運転・販売制御も停止するので庫内の商品を販売に供することができない。そこで、補助電源装置（バッテリー等）を内蔵し、商用電源が停止した場合に冷却／加熱ユニットや商品見本の照明光源などを切り離したうえで補助電源装置により商品の販売を可能としたものも知られているが、補助電源装置を内蔵した場合にはコストの上昇は免れず、また、自動販売機のコンセントを引き抜くなどの悪戯対策が必要となる。そのため、補助電源装置を内蔵することなく手動操作により商品の払い出しを可能とした自動販売機が知られている（例えば、特許文献１）。この特許文献１に開示された自動販売機においては、外扉に形成した小扉の内部に商品搬出装置のリンク機構に連結したワイヤーを引き回し、小扉のロックを電気錠により構成し、商用電源が停止した緊急時に小扉を開放可能として小扉を解放したうえでワイヤーを操作することにより商品搬出装置を動作させて商品を払い出すように構成されている。
【先行技術文献】
【特許文献】
【０００７】
【特許文献１】特許第３９２４９５４号公報
【発明の開示】
【発明が解決しようとする課題】
【０００８】
前記特許文献１に記載された自動販売機は、緊急時には小扉を開放してワイヤーを操作することにより商品搬出装置を動作させて商品を払い出すことができる点で優れている。しかしながら、小扉が形成された外扉は本体キャビネットに開閉可能であることから、小扉の内部と本体キャビネットの庫内（商品収納室）に収設された商品収納ラックに搭載された商品搬出装置のリンク機構との間を連結するワイヤーは外扉の開閉に支障を来たすことの無いように引き回さねばならない。そのため、ワイヤーの引き回しが煩雑であるという課題を有する。また、商品収納ラックに商品搬出装置を装着した状態においては当該商品搬出装置の周囲に作業空間がないことから、商品収納ラックから商品搬出装置を取り外した状態で商品搬出装置のリンク機構にワイヤーを結合させたうえで商品収納ラックに装着せねばならない。そのため、一般的に採用されているところの、商品収納ラックの下方から商品搬出装置を着脱する方式を採用することが困難であるので、商品搬出装置の商品収納ラックへの着脱方式を新たに設計せねばならないという課題を有する。
【０００９】
本発明は上記の点に鑑みなされたものであり、その目的は前記課題を解決し、大幅な設計変更を行うことなく、緊急時には手動操作により飲料供給源として庫内に収容した商品を供給することが可能な自動販売機を提供することにある。
【課題を解決するための手段】
【００１０】
上記目的を達成するために請求項１に係る発明は、断熱筐体として形成された本体キャビネットの商品収納庫内に、前後縁に外方に膨出した膨出部を有する左右のラック側板間に前後列に並べて画成した蛇行状の商品収納通路に商品を横倒し状態で収納するとともに下端部に商品搬出装置を有する商品収納ラックが配設された自動販売機であって、前記商品搬出装置は、基板の開口部から商品収納通路に出没自在に軸支され、前記商品収納通路の販売順位一番の商品（販売商品）を保持する態様で前記商品収納通路に突出する突出位置に向けて付勢され、前記販売商品の保持を解放する態様で前記商品収納通路から退避する退避位置に移動可能に設けた第１ストッパ部材と、前記基板の開口部から商品収納通路に出没自在に軸支され、前記商品収納通路から退避する退避位置に向けて付勢され、前記商品収納通路の販売順位二番の商品（次販売商品）を保持する態様で前記商品収納通路に突出する突出位置に移動可能に設けた第２ストッパ部材と、前記第１ストッパ部材および第２ストッパ部材を突出位置と退避位置とに移動させ、かつ、前記第１ストッパ部材および第２ストッパ部材を突出位置にロックする態様で往復動作するリンク機構と、前記リンク機構を駆動するソレノイドとを備え、前記ソレノイドの励磁・釈放によりリンク機構を介して第１ストッパ部材および第２ストッパ部材を商品収納通路に交互に出没させて次販売商品を第２ストッパ部材により保持したうえで販売商品を払い出すものにおいて、前記商品搬出装置の基板の外部から手動操作されるとともに前記商品搬出装置における少なくとも第１ストッパ部材のロック解除動作をリンク機構に伝達する引き外し部材を設け、当該引き外し部材を直接、若しくはアタッチメント部材を介して手動操作することにより商品搬出装置を作動させて販売商品を払い出すことを特徴とする。
【００１１】
また、請求項２に係る発明は請求項１に係る自動販売機において、引き外し部材は、一端が前記リンク機構に係合するとともに他端が基板の上フランジから外側に引き出される態様で基板の外方に延在する連結部材および前記連結部材の他端と係合する態様で前記左右一対のラック側板に上下方向にスライド自在に架設され、少なくとも一端がラック側板の外方に突出した可動バーからなり、アタッチメント部材は、ラック側板の膨出部により形成されるラック側板の外側のデッドスペースを前後方向に案内される態様でラック側板の前方から差し込まれる操作レバーからなり、前記操作レバーをラック側板の前方から差し込んで可動バーを上方にスライド移動させることにより連結部材を介して商品搬出装置を作動させることを特徴とする。
【００１２】
また、本発明の請求項３に係る自動販売機によれば、請求項２に記載の自動販売機において、連結部材の他端は下方に傾斜したフックを備え、当該フックは商品収納ラックの下方から商品搬出装置を装着する際、その傾斜面が可動バーに当接すると連結部材を撓ませるとともに前記可動バーを乗り越えると連結部材の復元力により可動バーと係合可能となることを特徴とする。
【００１３】
また、請求項４に係る発明は請求項１に係る自動販売機において、引き外し部材は、一端が前記リンク機構に係合するとともに他端が商品搬出装置の基板の下フランジに臨むスライド部材からなり、当該スライド部材を直接手動操作することより商品搬出装置を作動させることを特徴とする。
【００１４】
また、請求項５に係る発明は請求項４に係る自動販売機において、スライド部材の一端はリンク機構と少なくともソレノイドのストロークだけ遊びをもって連結されてなることを特徴とする。
【発明の効果】
【００１５】
本発明の請求項１に係る自動販売機によれば、断熱筐体として形成された本体キャビネットの商品収納庫内に、前後縁に外方に膨出した膨出部を有する左右のラック側板間に前後列に並べて画成した蛇行状の商品収納通路に商品を横倒し状態で収納するとともに下端部に商品搬出装置を有する商品収納ラックが配設された自動販売機であって、前記商品搬出装置は、基板の開口部から商品収納通路に出没自在に軸支され、前記商品収納通路の販売順位一番の商品（販売商品）を保持する態様で前記商品収納通路に突出する突出位置に向けて付勢され、前記販売商品の保持を解放する態様で前記商品収納通路から退避する退避位置に移動可能に設けた第１ストッパ部材と、前記基板の開口部から商品収納通路に出没自在に軸支され、前記商品収納通路から退避する退避位置に向けて付勢され、前記商品収納通路の販売順位二番の商品（次販売商品）を保持する態様で前記商品収納通路に突出する突出位置に移動可能に設けた第２ストッパ部材と、前記第１ストッパ部材および第２ストッパ部材を突出位置と退避位置とに移動させるリンク機構と、前記リンク機構を駆動するソレノイドとを備え、前記ソレノイドの励磁・釈放によりリンク機構を介して第１ストッパ部材および第２ストッパ部材を商品収納通路に交互に出没させて次販売商品を第２ストッパ部材により保持したうえで販売商品を払い出すものにおいて、前記商品搬出装置の基板の外部から手動操作されるとともに前記商品搬出装置における少なくとも第１ストッパ部材のロック解除動作をリンク機構に伝達する引き外し部材を設け、当該引き外し部材を直接、若しくはアタッチメント部材を介して手動操作することにより商品搬出装置を作動させて販売商品を払い出すことにより、大幅な設計変更を行うことなく引き外し部材を追加装備するという簡単な構成によりライフラインが停止した緊急時には引き外し部材を手動操作することにより商品搬出装置を作動させて販売商品を払い出すことができ、緊急時の食品供給拠点として活用することができる自動販売機を安価に提供することができる。また、引き外し部材を配備した状態で商品搬出装置を商品収納ラックに着脱することが可能となる利点を有する。
【００１６】
また、本発明の請求項２に係る自動販売機によれば、請求項１に記載の自動販売機において、引き外し部材は、一端が前記リンク機構に係合するとともに他端が基板から外側に引き出される態様で基板の外方に延在する連結部材および前記連結部材の他端と係合する態様で前記左右一対のラック側板に上下方向にスライド自在に架設され、少なくとも一端がラック側板の外方に突出した可動バーからなり、アタッチメント部材は、ラック側板の膨出部により形成されるラック側板の外側のデッドスペースを前後方向に案内される態様でラック側板の前方から差し込まれる操作レバーからなり、前記操作レバーをラック側板の前方から差し込んで可動バーを上方にスライド移動させることにより連結部材を介して商品搬出装置を作動させることにより、可動バーを上方にスライド移動させる操作レバーの案内スペースとして左右一対のラック側板の前後端に外側に向けて膨出する膨出部により形成されるところのデッドスペース、つまり隣接する商品収納ラックの間に形成されるデッドスペースを活用することができる。
【００１７】
また、本発明の請求項３に係る自動販売機によれば、請求項２に記載の自動販売機において、連結部材の他端は下方に傾斜したフックを備え、当該フックは商品収納ラックの下方から商品搬出装置を装着する際、その傾斜面が可動バーに当接すると連結部材を撓ませるとともに前記可動バーを乗り越えると連結部材の復元力により可動バーと係合可能となることにより、一般的に採用されている商品収納ラックの下方から商品搬出装置を装着する方式を採用することができるという利点を有する。
【００１８】
また、本発明の請求項４に係る自動販売機によれば、請求項１に記載の自動販売機において、引き外し部材は、一端が前記リンク機構に係合するとともに他端が商品搬出装置の基板の下フランジに臨むスライド部材からなり、当該スライド部材を直接手動操作することより商品搬出装置を作動させることにより、大幅な設計変更を行うことなく商品搬出装置にスライド部材を追加装備するという簡単な構成によりライフラインが停止した緊急時には引き外し部材を手動操作することにより商品搬出装置を作動させて販売商品を払い出すことができ、緊急時の食品供給拠点として活用することができる自動販売機を安価に提供することができる。
【００１９】
また、本発明の請求項５に係る自動販売機によれば、請求項４に記載の自動販売機において、スライド部材の一端はリンク機構と少なくともソレノイドのストロークだけ遊びをもって連結されてなることにより、通常の販売動作、すなわち、前記ソレノイドの励磁・釈放によりリンク機構を介して第１ストッパ部材および第２ストッパ部材を商品収納通路に交互に出没させて次販売商品を第２ストッパ部材により保持したうえで販売商品を払い出す販売動作時にスライド部材がリンク機構とともに移動することがない、つまりソレノイド吸引時の負荷となることがないので、通常の販売動作に悪影響を及ぼすことがないという利点を有する。
【図面の簡単な説明】
【００２０】
【図１】本発明の実施の形態１に係る自動販売機における商品収納ラックの側面図である。
【図２】図１の商品搬出装置を示し、（ａ）はその背面斜視図、（ｂ）は連結部材の斜視図である。
【図３】図２の商品搬出装置を出口調整板とともに示す側面図である。
【図４】図２の商品搬出装置の動作を示し（ａ）は販売待機状態の概略側面図、（ｂ）は商品搬出時の概略側面図である。
【図５】図１の商品収納ラックにおけるラック側板のＡ部の拡大図である。
【図６】図５の可動バーの斜視図である。
【図７】図２の商品搬出装置に装備された連結部材とラック側板に架設された可動バーの関係を示し、（ａ）は通常時の要部側面図、（ｂ）は緊急時の要部側面図である。
【図８】本発明の実施の形態２に係る自動販売機における商品収納ラックに搭載された商品搬出装置の背面斜視図である。
【図９】図８の商品搬出装置の要部を示し、（ａ）は要部拡大図、（ｂ）はスライド部材の斜視図である。
【図１０】本発明が対象とする自動販売機の外扉開放状態の斜視図である。
【図１１】図１０の自動販売機における商品収納ラックの斜視図である。
【発明を実施するための形態】
【００２１】
以下、本発明の実施の形態の自動販売機を添付図面に基づいて詳細に説明する。
（実施の形態１）
図１乃至図７は本発明の実施の形態１の自動販売機に係る商品収納ラックを示し、各図において、図１０，図１１に示した従来装置と同一のものには同一の符号を付している。
【００２２】
図１は実施の形態１に係る自動販売機の商品収納ラック８を示し、この商品収納ラック８は、平板状の薄板鋼板からなる左右のラック側板８１の間に上下方向に半ピッチずらして向かい合わせに架設した前後一対の湾曲状レールセグメント列８２の間の画成された蛇行状の商品収納通路８３を前後方向に２列備えた前段側の商品収納ラック８ａ，中段の商品収納ラック８ｃ，後段側の商品収納ラック８ｂからなる３連のものであり、図では正面視右側のラック側板８１についてはその一部を残して切断した状態を示している。各商品収納通路８３内には当該商品収納通路８３内に突出するように付勢された姿勢制御ダンパー８５が配設され、また、各商品収納通路８３の下端出口には商品を１個ずつ搬出する商品搬出装置１０が配設され、２列目以降の商品収納通路８３の上端入口はトップトレイ８４を介して本体キャビネット１の前面開口に形成された商品投入口ＳＬに連通し、最前列の商品収納通路８３の上端入口は商品投入口ＳＬに直接連通している。前記トップトレイ８４の終端と商品収納通路８３の上端入口との間のコーナー位置（アウトコーナー側）には揺動自在に架設された商品投入ガイド８６が配設されている。この商品投入ガイド８６は、商品投入口ＳＬから横向き・横倒し姿勢で投入された商品がトップトレイ８４を転動中に横向き姿勢が乱れて縦向き方向に傾いた場合にも当該商品の姿勢を矯正して商品収納通路８３に落下させるものである。なお、商品収納ラック８ａ，８ｂ，８ｃの上下方向の長さは後段側の商品収納ラック８ｂから前段側の商品収納ラック８ａに向かうに従って長く、商品収納ラック８ａ，８ｂ，８ｃの下端が、商品収納ラック８から払い出された商品を送出するシュータ９（図１０参照）の前傾姿勢に合わせて庫内奥行き方向に上り用の階段状になるように形成されている。
【００２３】
図１において、８０は、左右一対のラック側板８１，８１にそれぞれ形成された上下方向に延在する長穴であり、この長穴８０を貫通して可動バー２０がラック側板８１，８１に上下方向にスライド移動自在に架設されている。４０は薄板鋼板からなる長尺の操作レバーであり、左右一対のラック側板８１，８１の外壁に固定されたガイド部材３０によりラック側板８１の外側を前後方向に案内される態様でラック側板８１の前方から差し込まれるものである。前記可動バー２０、ガイド部材３０、操作レバー４０については次に示す商品搬出装置１０の説明に引き続いて詳述する。
【００２４】
前記商品搬出装置１０は、図２に示すように、矩形板金製の基板１１を備え、当該基板１１の周囲４辺には背面（商品収納通路８３とは反対側の面）方向に折り曲げた上フランジ１１ａ，下フランジ１１ｂ，左フランジ１１ｃ，右フランジ１１ｄを有する浅い箱形に形成されている。基板１１の板面の下半領域には、商品収納通路８３に通じる大きな開口部１１ｅが設けられ、基板１１の上半領域の左右中央位置には開口部（図２では、後述する売切検出スイッチ１８に隠れて見えない）が設けられている。前記開口部１１ｅの周囲４辺も背面側に折り曲げた上下左右のフランジ１１ｅ１〜１１ｅ４が設けられ、左右のフランジ１１ｅ３，１１ｅ４に架け渡された第１軸１０１、第２軸１０２に回動自在に軸支された第１ストッパ部材１２、第２ストッパ部材１３が開口部１１ｅを通して商品収納通路８３に出没自在に配設されている。また、基板１１の上フランジ１１ａの端縁には上方に向って延在する左右一対のフック片１１ａ１，１１ａ１が突設される一方、左右のフランジ１１ｃ、１１ｄには上方に向って延在するガイド突起１１ｃ１，１１ｄ１が設けてあり、このフック片１１ａ１，１１ａ１とガイド突起１１ｃ１，１１ｄ１とにより左右一対のラック側板８１，８１に架設される上側のピン部材Ｐ（図３参照）を挟み込む。また、基板１１の下フランジ１１ｂと開口部１１ｅの下フランジ１１ｅ２との間には左右一対のラック側板８１，８１に架設される下側のピン部材Ｐに係合・離脱する合成樹脂製のフック部材Ｆが固着されている。そして、前記基板１１の背面には軸受部材１４、リンク機構１５、回動ストッパ１６、ソレノイド１７、売切検出スイッチ１８が配設されている。なお、基板１１の上フランジ１１ａの両サイドの端縁に設けた上方に延在するガイド片１１ａ２，１１ａ２は商品搬出装置１０を左右一対のラック側板８１，８１に架設される上側のピン部材Ｐ（図３参照）に取付ける際、ピン部材Ｐに摺接してフック片１１ａ１，１１ａ１とガイド突起１１ｃ１，１１ｄ１との間にピン部材Ｐを嵌合させるためのガイドとなるものである。
【００２５】
前記第１ストッパ部材１２は、図３に示すように、金属板１２１の裏面に樹脂製（たとえば、ポリアセタール）の軸受台１２２を備えて構成されている。前記軸受台１２２は、金属板１２１に固定される平板状の基台（不図示）の左右端部に金属板１２１の裏面方向に突出する左右一対の軸受突部１２２ａ，１２２ａ（図２に右端側の軸受突部１２２ａが見えている）を有し、この左右一対の軸受突部１２２ａ，１２２ａには異形溝１２２ｂが形成されている。前記第１ストッパ部材１２は、第１軸１０１を中心として回動して、基板１１の開口部１１ｅから商品収納通路８３に突出する突出位置と、開口部１１ｅを閉塞する態様で商品収納通路８３から退く退避位置との間に移動可能である。第１ストッパ部材１２は、第１軸１０１に巻装した捻りコイルばね１０３（図２参照）の弾性付勢力によって突出位置に向けて常に付勢されており、突出位置においてその上面が販売商品Ｇ１（図４参照）を保持する保持面として形成されている。なお、図３において、１００は商品搬出装置１０の基板１１との間に商品収納通路８３を形成する出口通路板である。
【００２６】
前記第２ストッパ部材１３は合成樹脂（例えば、ポリアセタール）からなり、第２軸１０２に回動可能に支持してある。第２ストッパ部材１３は、第２軸１０２を中心として回動して、基板１１の開口部１１ｅから商品収納通路８３に突出する突出位置と、開口部１１ｅを閉塞する態様で商品収納通路８３から退く退避位置との間に回動可能である。第２ストッパ部材１３は、第２軸１０２に巻装した捻りコイルばね（不図示）の弾性付勢力によって退避位置に向けて常に付勢されている。第２ストッパ部材１３の先端は次販売商品Ｇ２（図４参照）を係止する商品係止部１３０として形成されている。また、第２ストッパ部材１３の背面における左右一方側（図示の場合、左側）に片寄せた位置には後述する上リンク軸１５２を受け入れる凹状の摺動溝１３１ａを備えたストッパ部１３１を設けている。
【００２７】
前記軸受部材１４は、基板１１の開口部１１ｅの上フランジ１１ｅ１と下フランジ１１ｅ２との間に架設されている。この軸受部材１４は第１軸１０１，第２軸１０２の中間部を支持（すなわち、第１軸１０１，第２軸１０２が貫通している）するとともにリンク機構１５および回動ストッパ１６に関わる各軸（後述）の一方端を支持し、各軸の他方端は基板１１の開口部１１ｅの左フランジ１１ｅ３により支持している。ここで、軸受部材１４と左フランジ１１ｅ３とにおける上記各軸を支持する構成はほぼ対称の構成であり、軸受部材１４には左フランジ１１ｅ３に形成した上下方向に延在する長溝１１ｅ３１，１１ｅ３２に対応する長溝１４１，１４２（図４参照）を設けている。前記長溝１１ｅ３１は、リンク機構１５に関わる下リンク軸１５１（図２参照）を上下方向にスライド移動可能に支持し、前記長溝１１ｅ３２は、リンク機構１５に関わる上リンク軸１５２（図２参照）を上下方向にスライド移動可能に支持している。  また、前記軸受部材１４と左フランジ１１ｅ３の下端位置には回動ストッパ１６に関わる回動ストッパ軸１６１（図２参照）を支持する支軸穴（不図示）を設けている。
【００２８】
前記リンク機構１５は、図２に示すように下リンク軸１５１と上リンク軸１５２を保持する鋼板製のリンク部材１５０からなり、上端がソレノイド１７のプランジャー１７０に連結されている。前記リンク部材１５０には上リンク軸１５２が貫通する係合穴１５０ａ（図２では右端側の係合穴１５０ａが見えている）を有する左右一対の上係合腕１５０ｂを設けている。この上係合腕１５０ｂは、リンク部材１５０の上下動作に連動して上リンク軸１５２を上下方向に移動させるものである。さらに、リンク部材１５０の下端には下リンク軸１５１が貫通して保持される左右一対の下係合腕１５０ｃを設けている。この下係合腕１５０ｃは、リンク部材１５０の上下動作に連動して下リンク軸１５１を上下方向に移動させるものである。前記下係合腕１５０ｃに保持された下リンク軸１５１には復帰ばね１９（図２参照）の一端が係止され、復帰ばね１９の他端は回動ストッパ軸１６１に係止されている。
【００２９】
前記回動ストッパ１６は回動ストッパ軸１６１に回動可能に支持してある。回動ストッパ１６は、回動ストッパ軸１６１を中心として回動して、基板１１の開口部１１ｅから商品収納通路８３に突出する突出位置と、開口部１１ｅを閉塞する態様で商品収納通路８３から退く退避位置との間に移動可能に設けてある。回動ストッパ軸１６１には、図には明示されていないが捻りコイルばねが巻装してあり、この捻りコイルばねの弾性付勢力によって回動ストッパ１６は突出位置に向けて常に付勢されている。回動ストッパ１６は、商品収納通路８３に突出する先端部に支持軸１６２（図４参照）を備えている。この支持軸１６２は、両端部が第１ストッパ部材１２の各軸受台１２２における左右一対の軸受突部１２２ａ，１２２ａに形成した異形溝１２２ｂに係合する。また、回動ストッパ１６の背面には、図４に示すようにロック溝１６３を備え、このロック溝１６３は、下リンク軸１５１を係合させて回動ストッパ１６の回動を規制（ロック）するためのものである。前記回動ストッパ１６は、下リンク軸１５１がロック溝１６３に係合している状態で突出位置にロックされる。このロック状態において回動ストッパ１６の先端側に設けた支持軸１６２の両端部が第１ストッパ部材１２における軸受台１２２の異形溝１２２ｂの小径溝部１２２ｂ１に係合して第１ストッパ部材１２を商品収納通路８３に突出した突出位置（販売待機位置）にロックする。
【００３０】
前記売切検出スイッチ１８は、図２，図３に示すようにマイクロスイッチ１８１と商品収納通路８３に突出する商品検知レバー１８２とを有する。売切検出スイッチ１８は、合成樹脂（例えば、ポリアセタール）からなる額縁状の取付台１８０にマイクロスイッチ１８１と商品検知レバー１８２とを組付けたものである。商品検知レバー１８２は取付台１８０に回動自在に軸支され、一端が取付台１８０に係止されるとともに他端が商品検知レバー１８２に係止された捻りコイルばね１８３により商品収納通路８３に向けて進出するように付勢されている。商品検知レバー１８２は、商品収納通路８３に商品がある状態では商品に押されて基板１１の板面に沿うように後退している場合にはマイクロスイッチ１８１のアクチュエータ１８１ａから離れており、商品収納通路８３に商品がない状態（売切れ状態）になって捻りコイルばね１８３により商品収納通路８３に進出した場合にアクチュエータ１８１ａを押圧してマイクロスイッチ１８１を作動させるように構成されている。
【００３１】
前記ソレノイド１７は、基板１１の背面側の左右一方側（図では左側）に片寄せた位置にねじＳ１，Ｓ２により固定されている。このソレノイド１７はプランジャー１７０を挿通する貫通穴を備えたスプールに巻回されたコイルを絶縁性樹脂で覆った矩形状のコイル部１７１を積層された逆Ｕ字状の継鉄１７２で係止固定してなり、前記継鉄１７２の肩部を基板１１に切り起こしにより形成された台座１１１（図２参照）にねじＳ１，Ｓ２により固定されている。このようにソレノイド１７は前記台座１１１に載置して固定することにより基板１１から浮き上がる態様で配設されている。このようにソレノイド１７が基板１１から浮き上がる態様で配設されることは特開２００１−１８４５５６号公報などにより周知である。前記ソレノイド１７が基板１１から浮き上がっていることを利用して、その外郭を覆うように連結部材５０（図２では点線で示す）が配設されている。この連結部材５０が請求項１の引き外し部材を構成する。この連結部材５０については後述する。
【００３２】
なお、ソレノイド１７とともに軸受部材１４，リンク機構１５，回動ストッパ１６は基板１１の背面側の左右一方側に片寄せた位置に配設されているが、これは同一構成の商品搬出装置１０，１０を背中合わせに抱き合わせた際にそれぞれの商品搬出装置１０における軸受部材１４，リンク機構１５，回動ストッパ１６，ソレノイド１７が互いに干渉しないようにするためである。
【００３３】
前記商品搬出装置１０は、左右一対のラック側板８１，８１に架設される上下一対のピン部材Ｐ，Ｐ（図３参照）に着脱自在に取付けられる。すなわち、前記商品搬出装置１０を上下のピン部材Ｐ，Ｐの間に跨って取付けるには、左右一対のラック側板８１，８１の下方から商品搬出装置１０を商品収納通路８３内に挿入し、先ず上側のピン部材Ｐに基板１１の上フランジ１１ａの両サイドに形成したガイド片１１ａ２，１１ａ２を当接させる。この場合、上側のピン部材Ｐを通る鉛直線上に下側のピン部材Ｐが存在するので、商品搬出装置１０を上側のピン部材Ｐを通る鉛直線に沿った姿勢で基板１１のガイド片１１ａ２，１１ａ２を上側のピン部材Ｐに当接させることができない。そこで、商品搬出装置１０は上部側に対して下部側が商品収納通路８３側に突出するように傾けた傾斜姿勢で差し込まれる。基板１１の上フランジ１１ａに形成したガイド片１１ａ２，１１ａ２をガイドとして商品搬出装置１０を上方にスライドさせて基板１１に形成したフック片１１ａ１，１１ａ１とガイド突起１１ｃ１，１１ｄ１との間に上側のピン部材Ｐを嵌め込む。続いて上側のピン部材Ｐを支点として商品搬出装置１０を、基板１１の下部に固着されたフック部材Ｆの自由端が下側のピン部材Ｐに当接するように回動（図３では時計方向）させ、フック部材Ｆの自由端を下側のピン部材Ｐに当接させたうえで更に押し込む（時計方向に回動させる外力を加える）とフック部材Ｆが湾曲拡開し、下側のピン部材Ｐがフック部材Ｆを乗り越えるとフック部材Ｆが元の状態に復元してフック部材Ｆが下側のピン部材Ｐに係合する。これにより上下一対のピン部材Ｐ，Ｐに商品搬出装置１０が装着される（図３参照）。前述したように上下一対のピン部材Ｐ，Ｐに装着された商品搬出装置１０を取り外すには、先ずフック部材Ｆに手（指）をかけて湾曲拡開させて下側のピン部材Ｐとの係合を解除した後、商品搬出装置１０を上側のピン部材Ｐを支点として回動（図３においては反時計方向に回動）させたうえで商品搬出装置１０を下方にスライドさせる。これにより基板１１に形成したフック片１１ａ１，１１ａ１とガイド突起１１ｃ１，１１ｄ１とを上側のピン部材Ｐから外して商品搬出装置１０を左右一対のラック側板８１，８１の下方から取り出す。
【００３４】
前述したように左右一対のラック側板８１，８１に架設される上下一対のピン部材Ｐ，Ｐ（図３参照）に装着された商品搬出装置１０の動作について図４を参照して説明する。なお、図４では商品搬出装置１０の動作を理解し易くするため概略構成を示している。
【００３５】
図４の（ａ）に示した販売待機状態においては、ソレノイド１７が通電されていない状態であって、リンク部材１５０が復帰ばね１９（図２参照）によって下限位置まで下降している状態である。すなわち、上リンク軸１５２が軸受部材１４の長溝１４２に沿って下方に移動し、下リンク軸１５１が軸受部材１４の長溝１４１に沿って下方に移動している。販売待機状態において、第１ストッパ部材１２は、捻りコイルばね１０３（図２参照）の弾性付勢力によって突出位置にあり、販売商品Ｇ１を保持している。また、販売待機状態において、回動ストッパ１６は、不図示の捻りコイルばねの弾性付勢力によって突出位置にある。さらに、回動ストッパ１６は、支持軸１６２が第１ストッパ部材１２における異形溝１２２ｂの小径溝部１２２ｂ１（図３参照）に係合していることで第１ストッパ部材１２にかかる商品Ｇの荷重を受けている。さらに、回動ストッパ１６は、ロック溝１６３に下リンク軸１５１が係合していることによって突出位置にロックされている。これにより、回動ストッパ１６は、第１ストッパ部材１２を突出位置にロックして第１ストッパ部材１２の退避位置への移動を阻止している。一方、販売待機状態において、第２ストッパ部材１３は、不図示の捻りコイルばねの弾性付勢力によって退避位置に復帰している。
【００３６】
図４（ａ）に示した販売待機状態から販売指令によりソレノイド１７が通電されると、ソレノイド１７が復帰ばね１９の弾性付勢力に抗してプランジャー１７０を吸引してリンク部材１５０を上昇させる。すると、リンク部材１５０の下リンク軸１５１が上昇して回動ストッパ１６のロック溝１６３との係合が解除される。このロック解除により回動ストッパ１６は商品荷重によって回動ストッパ軸１６１を中心として退避位置に向けて回動し、これに伴って支持軸１６２も異形溝１２２ｂの小径溝部１２２ｂ１から外れて第１ストッパ部材１２のロックが解除され、第１ストッパ部材１２は商品Ｇの荷重により退避位置に向けて回動する。
【００３７】
これと同時に第２ストッパ部材１３は、上昇するリンク部材１５０の上リンク軸１５２の作用により退避位置から突出位置に向けて突出する。すなわち、販売待機状態からリンク部材１５０が上昇すると、第２ストッパ部材１３の摺動溝１３１ａに係合した上リンク軸１５２が上昇する。すると、第２ストッパ部材１３は第２軸１０２を中心として突出位置に向けて捻りコイルばねの弾性付勢力に抗して移動する。リンク部材１５０が上限位置まで上昇すると上リンク軸１５２は第２ストッパ部材１３のストッパ部１３１と係合して第２ストッパ部材１３を突出位置にロックする。突出位置に至った第２ストッパ部材１３は出口通路板１００との間に次販売商品Ｇ２を保持する。この結果、販売商品Ｇ１のみが第１ストッパ部材１２を擦り抜けて搬出される（図４の（ｂ））。
【００３８】
販売商品Ｇ１が第１ストッパ部材１２を擦り抜けると第１ストッパ部材１２は捻りコイルばね１０３の付勢力によって突出位置（販売待機位置）に復帰する。これと同時に回動ストッパ１６も捻りコイルばねの弾性付勢力によって突出位置に復帰する。この場合、回動ストッパ１６の先端に設けた支持軸１６２が第１ストッパ部材１２における異形溝１２２ｂの壁面を摺動して小径溝部１２２ｂ１に至る。これにより第１ストッパ部材１２が販売待機位置でロック状態となる。
【００３９】
そして、所定時間の経過後にソレノイド１７への通電がなくなると、リンク部材１５０が復帰ばね１９の付勢力により下降するので、上リンク軸１５２による第２ストッパ部材１３のロックが解除され、第２ストッパ部材１３は捻りコイルばねの付勢力により待機位置に復帰する。また、リンク部材１５０が下限位置まで下降すると下リンク軸１５１が回動ストッパ１６のロック溝１６３と係合して第１ストッパ部材１２を販売待機位置にロックする。
【００４０】
ここで、前記商品搬出装置１０のソレノイド１７には、図２の（ａ）に点線で示すように連結部材５０が装着されている。この連結部材５０が請求項１の引き外し部材の一つを構成する。前記連結部材５０は、図２の（ｂ）に示すように、ソレノイド１７の右端側を取り囲むように断面コ字状の本体５１と、コ字状本体５１の一方の脚片５１１（図２の（ａ））ではソレノイド１７の上方に露出した脚片）の上縁から基板１１の外側に引き出される態様で基板１１の外方に延在する引出片５２と、コ字状本体５１の他方の脚片５１２（図２の（ａ）ではソレノイド１７に隠れて見えない脚片）の下縁から下方に延在した連結片５３とからなり、引出片５２の先端には商品収納通路８３側に折り返しにより鋭角に形成されたフック５２１が形成され、連結片５３の先端には略直角に商品収納通路８３とは反対側に折り曲げられたフック５３１が形成されている。前記連結部材５０の商品搬出装置１０への組み付けは、基板１１にソレノイド１７をねじ止めした後、売切検出スイッチ１８の額縁状の取付台１８０を基板１１に取付ける前の工程で次のように実施される。すなわち、図２に示すソレノイド１７の右端側に、連結部材５０のコ字状本体５１の脚片５１１，５１２の開放部をソレノイド１７に対峙させる態様で、そのコ字状本体５１の他方の脚片５１２を基板１１に当接させ、かつ、連結片５３の先端に形成したフック５３１を基板１１の開口部１１ｅの上縁に沿って背面側に折り曲げた上フランジ１１ｅ１に当接させた状態で連結部材５０を左側方向に移動させる。この場合、コ字状本体５１の他方の脚片５１２は基板１１から浮き上がるように配設されたソレノイド１７と基板１１の間の隙間に挿入される。そして、連結部材５０のコ字状本体５１の底部がソレノイド１７に当接するとコ字状本体５１の他方の脚片５１２がソレノイド１７の背後に位置する一方、コ字状本体５１の一方の脚片５１１がソレノイド１７の上方に位置する態様でコ字状本体５１がソレノイド１７の右端側外郭を取り囲むように配設される。この状態で連結片５３の先端に形成したフック５３１は、ソレノイド１７におけるプランジャー１７０の左右に張り出した肩部よりも下方に位置している。すなわち、ソレノイド１７におけるプランジャー１７０左右に張り出した肩部は、基板１１の開口部１１ｅの上縁に沿って背面側に折り曲げた上フランジ１１ｅ１の上方に位置しているので、当該上フランジ１１ｅ１に当接した状態で組み付けられる連結片５３の先端に形成したフック５３１がソレノイド１７におけるプランジャー１７０の左右に張り出した肩部よりも下方に位置することとなる。そして、連結片５３の先端に形成したフック５３１が前記上フランジ１１ｅ１に当接していることにより連結片５３の下降位置が定められる。前述したように、コ字状本体５１がソレノイド１７の右端側外郭を取り囲むように配設される連結部材５０はソレノイド１７によりガイドされて上下方向にスライド自在である。なお、図２の（ａ）では図示を省略したが、売切検出スイッチ１８のマイクロスイッチ１８１への配線をカバーするプラスチック製の配線カバーがソレノイド１７におけるプランジャー１７０の背後を横切るように配設されているものであり、連結部材５０における連結片５３が前記配線カバーの下方に潜り込むことによっても連結部材５０の脱落が防止されている。前記配線カバーに保護された配線と売切検出スイッチ１８のマイクロスイッチ１８１との接続は、配線の端部に接続された配線接続用コネクタを売切検出スイッチ１８の額縁状の取付台１８０取り付けられたソケットに差し込むことによって行われる。
【００４１】
さて、図１に戻り、左右一対のラック側板８１，８１には上下方向に延在する長穴８０，８０が形成されている。図１の商品収納ラック８ａのＡ部を拡大して示す図５も参照すると理解できるように、前記長穴８０，８０は左右一対のラック側板８１，８１に架設される上側のピン部材Ｐよりも上方に位置している。言い換えれば、前記長穴８０，８０は背中合わせに抱き合わせて商品収納ラック８に装着される商品搬出装置１０の上方に位置している。また、前記長穴８０，８０の上端部には挿通穴８０ａが長穴８０に連通して形成されている。そして、前記長穴８０，８０を貫通して可動バー２０がラック側板８１，８１に上下方向にスライド移動自在に架設されている。前記可動バー２０が連結部材５０とともに請求項１の引き外し部材を構成する。前記可動バー２０は、図６に示すように、Ｕチャンネル状の長尺部材からなり、左右一対の側板８１，８１から外方に突出する端部に抜け止めとして折り曲げられた左右一対の舌片２１を有している。前記可動バー２０は左右一対のラック側板８１，８１の間の寸法よりも長く形成され、左右一対のラック側板８１，８１から外方に突出する突出寸法が左右一対のラック側板８１，８１の前後縁に外側に膨出する態様で形成された膨出部８０１，８０１の膨出寸法よりも僅かに小さくなるように形成されている。
【００４２】
前記可動バー２０の左右一対のラック側板８１，８１への組み付けは、蛇行状の商品収納通路８３を形成する前後一対の湾曲状レールセグメント列８２の組み付け工程で行われる。すなわち、湾曲状レールセグメント列８２（個別のレールセグメント、若しくは連続した湾曲面を備えた連続のレールセグメント）は、水平面からなる作業台に寝かせた状態の一方のラック側板８１にレールセグメントの一端を係止固定した後、他方のラック側板８１を、レールセグメントを覆うように被せたうえでレールセグメントの他端を他方のラック側板８１に係止固定することにより組み付けられる。この湾曲状レールセグメント列８２の組み付けの工程において前記可動バー２０は次のように左右一対のラック側板８１，８１に組み付けられる。すなわち、作業台に寝かされた一方のラック側板８１に形成された長穴８０およびその長穴８０に連通する挿通穴８０ａに可動バー２０の一方の端部および舌片２１（ここでは、舌片２１が予め折り曲げられた可動バー２０が製造ラインに投入される例を示す）を対峙させてその可動バー２０の一方の端部を、長穴８０を貫通させるとともに舌片２１を挿通穴８０ａに貫通させた後、他方のラック側板８１を被せる際に前記可動バー２０の他方の端部および舌片２１を他方のラック側板８１の長穴８０およびその長穴８０に連通する挿通穴８０ａに対峙させてその可動バー２０の他方の端部を長穴８０を貫通させるとともに舌片２１を挿通穴８０ａに貫通させ、前記可動バー２０を長穴８０に沿って下端部側（挿通穴８０ａとは反対側）にスライドさせることにより組み付けられる。
【００４３】
また、図１，図５に示すように、左右一対のラック側板８１，８１のうちの一方のラック側板８１（この実施の形態では正面視右側のラック側板８１）の外壁にはラック側板８１から外方に突出した可動バー２０に交差する通路を形成するトンネル３１，３１を備えたガイド部材３０が固着されている。そして、ラック側板８１の膨出部８０１，８０１におけるガイド部材３０のトンネル３１の延長線上の箇所は切り欠いて操作レバー４０の挿脱溝８０２として形成されている。前記ラック側板８０の挿脱溝８０２およびガイド部材３０のトンネル３１，３１には薄板鋼板からなる長尺の操作レバー４０が前後方向に案内され、その際ガイド部材３０は操作レバー４０のガイドレールとして機能する。操作レバー４０は先端が先細となるように斜めにカットされており、ガイド部材３０に案内されて後方に移動する際、可動バー２０の下方に潜り込んで可動バー２０を上方へ容易にスライド移動させるように構成されている。なお、商品収納ラック８ａ，８ｂ，８ｃの上下方向の長さが後段側の商品収納ラック８ｂから前段側の商品収納ラック８ａに向かうに従って長く、商品収納ラック８ａ，８ｂ，８ｃの下端が商品収納ラック８から払い出された商品を送出するシュータ９（図９参照）の前傾姿勢に合わせて庫内奥行き方向に上り用の階段状になるように形成されていることからガイド部材３０により形成される操作レバー４０の案内通路を前方側に対して後方側が高くなるように傾斜した通路とし、長尺の操作レバー４０により商品収納ラック８ａ，８ｂ，８ｃに設けた可動バー２０を操作可能としている。
【００４４】
前記ラック側板８１，８１に架設された可動バー２０には商品搬出装置１０に追加装備された連結部材５０における引出片５２の先端に設けたフック５２１が係合する（図７参照）。なお、図７は、２個の商品搬出装置１０を背中合わせに抱き合わせて商品収納ラック８に架設された上側のピン部材Ｐに装着された状態を示す概略側面図であって、図２，図３の商品搬出装置１０（図では右側の商品搬出装置１０）に搭載されたソレノイド１７のプランジャー１７０にメッシュを付して示し、連結部材５０の外郭を塗り潰して示し、相手方の商品搬出装置（および基板）を符号１０Ａ（および１１Ａ）で示している。
【００４５】
前記連結部材５０における引出片５２の先端に設けたフック５２１の可動バー２０への係合は、商品搬出装置１０を商品収納ラック８に装着する際に自動的に行われる。すなわち、商品搬出装置１０の商品収納ラック８に取付けについては、前述したとおり、基板１１の上フランジ１１ａに形成したガイド片１１ａ２，１１ａ２を上側のピン部材Ｐに当接させた状態で商品搬出装置１０を上方にスライドさせて基板１１に形成したフック片１１ａ１，１１ａ１（図２，図３参照）とガイド突起１１ｃ１，１１ｄ１との間に上側のピン部材Ｐを嵌め込むのであるが、基板１１の上フランジ１１ａに形成したガイド片１１ａ２，１１ａ２を上側のピン部材Ｐに当接させ際、商品搬出装置１０は上部側に対して下部側が商品収納通路８３側に突出するように傾けた傾斜姿勢（図７では上側のピン部材Ｐを通る鉛直線に対して右斜め下方から上側のピン部材Ｐに交差する直線の方向であり、例えれば、上側のピン部材Ｐを支点として商品搬出装置１０を反時計方向に回動させた姿勢）で差し込まれる。したがって、通常の手順のとおりに商品搬出装置１０の取り付けを行えば、連結部材５０の引出片５２の先端に設けたフック５２１は、上側のピン部材Ｐの下方を通過して上側のピン部材Ｐの左側の領域に進入する。そして、基板１１の上フランジ１１ａに形成したガイド片１１ａ２，１１ａ２を上側のピン部材Ｐに当接させた状態で商品搬出装置１０を上方にスライドさせて基板１１に形成したフック片１１ａ１，１１ａ１（図２，図３参照）とガイド突起１１ｃ１，１１ｄ１との間に上側のピン部材Ｐを嵌め込んだ後、商品搬出装置１０における基板１１の下部に固着されたフック部材Ｆ（図２，図３参照）を下側のピン部材Ｐに係合させると上下一対のピン部材Ｐ，Ｐに商品搬出装置１０が装着される。その際、連結部材５０の引出片５２の先端に設けたフック５２１が可動バー２０の上部領域に移動して可動バー２０と係合可能となる。なお、仮に、商品搬出装置１０の傾斜姿勢の角度が小さくてフック５２１の傾斜面が可動バー２０に当接した場合にも前記フック５２１の傾斜面が可動バー２０に当接すると引出片５２が撓み、前記フック５２１の傾斜面が可動バー２０を乗り越えると引出片５２の復元力により可動バーと係合可能となる。このように商品搬出装置１０を商品収納ラック８に装着した状態において連結部材５０における引出片５２の先端に形成したフック５２１が可動バー２０に係合している（図７の（ａ）参照）。
【００４６】
また、上下一対のピン部材Ｐ，Ｐに装着された商品搬出装置１０を取り外す際、可動バー２０とフック５２１との係合が自動的に解除される。すなわち、フック部材Ｆと下側のピン部材Ｐとの係合を解除した後、基板１１の上フランジ１１ａに形成したガイド片１１ａ２，１１ａ２が上側のピン部材Ｐに当接した状態で商品搬出装置１０を商品収納通路８３側に突出するように傾けた傾斜姿勢とすると、連結部材５０の引出片５２の先端に設けたフック５２１が可動バー２０の上部領域から左側の領域に退避する。上側のピン部材Ｐに当接したガイド片１１ａ２，１１ａ２をガイドとして商品収納通路８３側に突出するように傾けた傾斜姿勢の商品搬出装置１０を右斜め下方にスライドさせると連結部材５０の引出片５２の先端に設けたフック５２１が可動バー２０と係合することなく右斜め下方にスライド移動するので、商品搬出装置１０を商品収納ラック８から取り外すことができる。
【００４７】
かかる商品搬出装置１０を商品収納ラック８に装着した状態において、図７の（ａ）に示すように、連結部材５０における引出片５２の先端に形成したフック５２１が可動バー２０に係合しており、震災などによりライフラインが停止した緊急時には外扉６（図１０参照）および内扉７（図１０参照）を開放した後、商品収納ラック８ａにおけるラック側板８１の前縁に形成された膨出部８０１に開口した挿脱溝８０２（図５参照）から操作レバー４０を差し込む。前記挿脱溝８０２から差し込まれカイド部材３０に案内されて後方に移動する操作レバー４０の先端が可動バー２０の下方に潜り込むと可動バー２０が上方へスライド移動する（図７の（ｂ）参照）。可動バー２０の上方へのスライド移動に伴って商品搬出装置１０に追加装備された連結部材５０における基板１１から外側に引き出された引出片５２のフック５２１が可動バー２０に係合すると可動バー２０の上方へのスライド移動が連結部材５０に伝達されて連結部材５０も上昇する。この連結部材５０の上昇により下方に延在した連結片５３が上昇してソレノイド１７のプランジャー１７０を引き上げる。この状態は、通常販売時における販売待機状態から販売指令によりソレノイド１７が通電された状態に相当し、リンク機構１５を介して商品収納通路８３に突出した突出位置にロックされた第１ストッパ部材１２のロックを解除して最下位の商品が搬出される。また、背中合わせに抱き合わせて取付けられた相手方の商品搬出装置１０に装備された連結片５３も上昇してソレノイド１７のプランジャー１７０を引き上げるので、当該商品搬出装置１０のリンク機構１５を介して商品収納通路８３に突出した突出位置にロックされた第１ストッパ部材１２のロックを解除して最下位の商品が搬出され、商品収納ラック８ａにおける１，２列目の商品収納通路８３，８３から最下位の商品が搬出される。なお、操作レバー４０により上方へスライド移動する可動バー２０の移動量は、操作レバー４０が配設される左右一対のラック側板８１，８１のうちの一方のラック側板８１（この実施の形態では正面視右側のラック側板８１）側の移動量に対して他方のラック側板８１側の移動量が小さくなるが、図２，図３を用いて説明したとおり、第１ストッパ部材１２のロック解除がリンク部材１５０の下端に形成された左右一対の下係合腕１５０ｃに保持された下リンク軸１５１と回動ストッパ１６のロック溝１６３との係合を引き外すような少しの量（ストローク）であればよい。つまり、ソレノイド１７のストロークほどの移動量を必要としないので、操作レバー４０の幅を適宜定めることにより背中合わせに抱き合わせて装着された一対（２個）の商品搬出装置１０から商品を搬出することができる。
【００４８】
更に操作レバー４０を奥に向けて差し込んで商品収納ラック８ｂ，８ｃの可動バー２０を上方にスライド移動させると当該商品収納ラック８ｂ，８ｃに取付けられた商品搬出装置１０に装備された連結部材５０を介してそれぞれの商品搬出装置１０から前述と同様に最下位の商品が搬出される。そして、操作レバー４０を引き抜くとそれぞれの商品搬出装置１０の第１ストッパ部材１２が商品収納通路８３に突出するように復帰して商品を保持する。引き続き商品を搬出する際には操作レバー４０を差し込むという動作を繰り返す。
【００４９】
前述したようにこの実施の形態１の自動販売機によれば、断熱筐体として形成された本体キャビネット１の商品収納庫内に、前後縁に外方に膨出した膨出部８０１，８０１を有する左右のラック側板８１，８１間に前後列に並べて画成した蛇行状の商品収納通路８３に商品を横倒し状態で収納するとともに下端部に商品搬出装置１０を有する商品収納ラック８が配設された自動販売機であって、前記商品搬出装置１０は、基板１１の開口部１１ｅから商品収納通路８３に出没自在に軸支され、前記商品収納通路８３の販売順位一番の商品（販売商品）を保持する態様で前記商品収納通路８３に突出する突出位置に向けて付勢され、前記販売商品の保持を解放する態様で前記商品収納通路８３から退避する退避位置に移動可能に設けた第１ストッパ部材１２と、前記基板１１の開口部１１ｅから商品収納通路８３に出没自在に軸支され、前記商品収納通路８３から退避する退避位置に向けて付勢され、前記商品収納通路８３の販売順位二番の商品（次販売商品）を保持する態様で前記商品収納通路８３に突出する突出位置に移動可能に設けた第２ストッパ部材１３と、前記第１ストッパ部材１２および第２ストッパ部材１３を突出位置と退避位置とに移動させるリンク機構１５と、前記リンク機構１５を駆動するソレノイド１７とを備え、前記ソレノイド１７の励磁・釈放によりリンク機構１５を介して第１ストッパ部材１２および第２ストッパ部材１３を商品収納通路８３に交互に出没させて次販売商品を第２ストッパ部材１３により保持したうえで販売商品を払い出すものにおいて、前記商品搬出装置１０の基板１１の外部から手動操作されるとともに前記商品搬出装置１０における少なくとも第１ストッパ部材１２のロック解除動作をリンク機構１５に伝達する引き外し部材（可動バー２０、連結部材５０）を設け、当該引き外し部材をアタッチメント部材（操作レバー４０）を介して手動操作することにより商品搬出装置１０を作動させて販売商品を払い出すことにより、大幅な設計変更を行うことなく引き外し部材を追加装備するという簡単な構成によりライフラインが停止した緊急時には引き外し部材を手動操作することにより商品搬出装置１０を作動させて販売商品を払い出すことができ、緊急時の食品供給拠点として活用することができる自動販売機を安価に提供することができる。また、引き外し部材（連結部材５０）を配備した状態で商品搬出装置を商品収納ラックに着脱することが可能となる利点を有する。
【００５０】
なお、上記実施の形態１の自動販売機においては、左右一対のラック側板８１，８１のうちの一方のラック側板８１の外壁に操作レバー４０を案内するガイド部材３０を設けたものについて説明したが、左右一対のラック側板８１，８１の外壁に操作レバー４０を案内するガイド部材３０を設けることもできる、すなわち、一対のラック側板８１，８１の両側から操作レバー４０を差し込んで可動バー２０を手動操作することができるものである。また、ガイド部材３０は、ラック側板８１，８１と別個の部材とすることなく、ラック側板８１，８１に一体に形成することもできるものである。
（実施の形態２）
図８および図９は本発明の実施の形態２の自動販売機に係る商品収納ラックに搭載された商品搬出装置１０を示し、各図において、実施の形態１に係る商品搬出装置１０と同一のものには同一の符号を付している。
【００５１】
図８において、１０で再び自動販売機の商品収納ラックに搭載された商品搬出装置を示し、前記商品搬出装置１０は、図２，図３に示す実施の形態１と同様に、基板１１の開口部１１ｅから商品収納通路８３（図３参照）に出没自在に軸支され、前記商品収納通路８３（図３参照。以下、同様）の販売順位一番の商品（販売商品）を保持する態様で前記商品収納通路８３に突出する突出位置に向けてねじりコイルばね１０３により付勢され、前記販売商品の保持を解放する態様で前記商品収納通路８３から退避する退避位置に移動可能に設けた第１ストッパ部材１２と、前記基板１１の開口部１１ｅから商品収納通路８３に出没自在に軸支され、前記商品収納通路８３から退避する退避位置に向けて付勢され、前記商品収納通路８３の下から２番目位置の商品（次販売商品）を保持する態様で前記商品収納通路８３に突出する突出位置に移動可能に設けた第２ストッパ部材１３と、前記第１ストッパ部材１２および第２ストッパ部材１３を突出位置と退避位置とに移動させ、かつ、前記第１ストッパ部材１２および第２ストッパ部材１３を突出位置にロックする態様で往復動作するリンク機構１５と、前記リンク機構１５を駆動するソレノイド１７とを備え、前記ソレノイド１７の励磁・釈放によりリンク機構１５を介して第１ストッパ部材１２および第２ストッパ部材１３を商品収納通路８３に交互に出没させて次販売商品を第２ストッパ部材１３により保持したうえで販売商品を払い出すように構成されている。
【００５２】
この実施の形態２に係る商品搬出装置１０が実施の形態１の商品搬出装置１０と相違する点は、上端（一端）がリンク機構１５を構成するリンク部材１５０に保持された下リンク軸１５１に係合し、下端（他端）が基板１１の下フランジ１１ｂに臨むスライド部材６０を追加装備した点である。このスライド部材６０が請求項４の引き外し部材を構成する。前記スライド部材６０は、図９の（ｂ）にも示すように、薄板鋼板を適宜折り曲げて形成されてなり、垂下基板６１の上部に上下方向に延在する引き外し穴６１１が形成されるとともに垂下基板６１の下部に上下方向に延在する保持穴６１２が形成される一方、垂下基板６１から直角に折り曲げられて下方に延在する操作板６２の下端に押圧片６２１が折り曲げ形成されたものである。また、垂下基板６１の下部にはその端縁から保持穴６１２に向けて折り返すように折り曲げられ、垂下基板６１の板面との間に溝を形成する挟持片６１３が設けられている。前記スライド部材６０は、引き外し穴６１１にリンク部材１５０の下端に形成された左右一対の下係合腕１５０ｃ（図９の（ａ）参照）に保持された下リンク軸１５１が挿通されるとともに保持穴６１２に前記下リンク軸１５１と係合して突出位置にロックされる回動ストッパ１６の回動支点となる回動ストッパ軸１６１が挿通され、押圧片６２１が基板１１の下フランジ１１ｂに臨む態様で配設されている。また、前記スライド部材６０は、挟持片６１３と垂下基板６１の板面との間に形成された溝が基板１１における開口部１１ｅの下フランジ１１ｅ２から切り起こしにより形成された平板状の突起片（不図示）に遊嵌され、これにより上下方向への移動が許容される一方、下リンク軸１５１や回動ストッパ軸１６１の軸線方向への移動が阻止される。なお、商品搬出装置１０の基板１１の下フランジ１１ｂの高さ寸法は、左右フランジ１１ｃ，１１ｄの高さ寸法より短く形成されており、２つの商品搬出装置１０を背中合わせに抱き合わせた際、対向する下フランジ１１ｂ，１１ｂの間には隙間が生じるものであり、この隙間にスライド部材６０の押圧部６２１が臨むように構成されている。
【００５３】
ここで、スライド部材６０の引き外し穴６１１と保持穴６１２とは商品搬出装置１０の販売機待機状態で保持穴６１２の上端（上縁）に回動ストッパ軸１６１が当接してスライド部材６０が保持されている状態において引き外し穴６１１の下端（下縁）に下リンク軸１５１が位置するように定められている。つまり、商品搬出装置１０の販売待機状態とは実施の形態１で説明したとおり、リンク部材１５０が復帰ばね１９により下限位置まで下降し、これに伴って下リンク軸１５１が下降して回動ストッパ１６を突出位置にロック（第１ストッパ部材１２は回動ストッパ１６により突出位置にロックされて退避位置への移動を阻止されている）している状態であり、この販売待機状態でスライド部材６０は保持穴６１２の上端（上縁）に回動ストッパ軸１６１が当接し、引き外し穴６１１の下端（下縁）に下リンク軸１５１が位置した待機状態に保持されている。この待機状態でスライド部材６０の下端部に形成された押圧片６２１が基板１１の下フランジ１１ｂに臨んで配置されている。そして、スライド部材６０の引き外し穴６１１の上下方向の長さは、商品搬出装置１０の通常の動作時においてリンク部材１５０が下限位置から上下位置まで上昇するストローク、つまり、ソレノイド１７のストロークよりも僅かに長い寸法に定められている。
【００５４】
かかる構成において、震災などによりライフラインが停止した緊急時には外扉６および内扉７（図１０参照）を開放した後、商品収納ラック８の下方から手を差し入れて商品搬出装置１０に配備したスライド部材６０を操作する。この場合、スライド部材６０の押圧片６２１が背中合わせに抱き合わされた２つの商品搬出装置１０における基板１１の対向する下フランジ１１ｂ，１１ｂの間に形成される隙間に臨んで配設されているので、この２つの商品搬出装置１０における基板１１の対向する下フランジ１１ｂ，１１ｂの間に形成された隙間から工具により押圧片６２１を押圧すると、スライド部材６０の保持穴６１２が上下方向に延在しているのでスライド部材６０が上昇する。スライド部材６０が上昇すると、販売待機状態で復帰ばね１９により下降している下リンク軸１５１が上動して突出位置にロックされた回動ストッパ１６のロックが解除され、これに伴って突出位置にロックされて販売商品を保持した第１ストッパ部材１２が突出位置から退避位置へ移動して販売商品が払い出される。ここで、スライド部材６０の保持穴６１２の上下方向に延在する長さを、下リンク軸１５１の上動によりリンク部材１５０が上動して上リンク軸１５２によって第２ストッパ部材１３が商品収納通路８３（図３参照）に突出して次販売商品を保持するようなストロークより短く、下リンク軸１５１が回動ストッパ１６のロックを引き外すだけの寸法とすることにより、スライド部材６０の押圧片６２１を押し上げると第１ストッパ部材１２および第２ストッパ部材１３による商品の保持状態が解除されるので、商品収納通路８３に収納された商品が連続して搬出される。なお、スライド部材６０の保持穴６１２の上下方向に延在する長さを、下リンク軸１５１の上動によりリンク部材１５０が上動して上リンク軸１５２によって第２ストッパ部材１３が商品収納通路８３（図３参照）に突出して次販売商品を保持するようなストロークとすれば、スライド部材６０の操作毎に商品を一個ずつ払い出すことができるものである。
【００５５】
そして、スライド部材６０の引き外し穴６１１の上下方向の寸法を、商品搬出装置１０の通常の動作時においてリンク部材１５０が下限位置から上下位置まで上昇するストロークよりも僅かに長い寸法に定めたことにより、スライド部材６０がソレノイド１７の負荷となることがない。また、スライド部材６０の押圧片６２１が基板１１の下フランジ１１ｂに臨む態様で配設されている、つまり、下フランジ１１ｂから突出することがないように構成することにより、メンテナンス時等に不用意にスライド部材６０が操作されること、或いは商品取出口から手を差し入れてスライド部材６０を操作する悪戯を防止することができるものである。
【００５６】
前述したようにこの実施の形態２に係る自動販売機によれば、断熱筐体として形成された本体キャビネット１の商品収納庫内に、前後縁に外方に膨出した膨出部８０１，８０１を有する左右のラック側板８１，８１間に前後列に並べて画成した蛇行状の商品収納通路８３に商品を横倒し状態で収納するとともに下端部に商品搬出装置１０を有する商品収納ラック８が配設された自動販売機であって、前記商品搬出装置１０は、基板１１の開口部１１ｅから商品収納通路８３に出没自在に軸支され、前記商品収納通路８３の販売順位一番の商品（販売商品）を保持する態様で前記商品収納通路８３に突出する突出位置に向けて付勢され、前記販売商品の保持を解放する態様で前記商品収納通路８３から退避する退避位置に移動可能に設けた第１ストッパ部材１２と、前記基板１１の開口部１１ｅから商品収納通路８３に出没自在に軸支され、前記商品収納通路８３から退避する退避位置に向けて付勢され、前記商品収納通路８３の販売順位二番の商品（次販売商品）を保持する態様で前記商品収納通路８３に突出する突出位置に移動可能に設けた第２ストッパ部材１３と、前記第１ストッパ部材１２および第２ストッパ部材１３を突出位置と退避位置とに移動させるリンク機構１５と、前記リンク機構１５を駆動するソレノイド１７とを備え、前記ソレノイド１７の励磁・釈放によりリンク機構１５を介して第１ストッパ部材１２および第２ストッパ部材１３を商品収納通路８３に交互に出没させて次販売商品を第２ストッパ部材１３により保持したうえで販売商品を払い出すものにおいて、前記商品搬出装置１０の基板１１の外部から手動操作されるとともに前記商品搬出装置１０における少なくとも第１ストッパ部材１２のロック解除動作をリンク機構１５に伝達する引き外し部材（スライド部材６０）を設け、当該引き外し部材を直接手動操作することにより商品搬出装置１０を作動させて販売商品を払い出すことにより、大幅な設計変更を行うことなく引き外し部材を追加装備するという簡単な構成によりライフラインが停止した緊急時には引き外し部材を手動操作することにより商品搬出装置１０を作動させて販売商品を払い出すことができ、緊急時の食品供給拠点として活用することができる自動販売機を安価に提供することができる。また、引き外し部材（スライド部材６０）を配備した状態で商品搬出装置を商品収納ラックに着脱することが可能となる利点を有する。
【００５７】
なお、実施の形態１の引き外し部材を構成する連結部材５０，可動バー２０、実施の形態２の引き外し部材を構成するスライド部材６０の構成は発明の要旨を逸脱しない範囲で種々変更することができるものである。したがって、本発明は実施の形態に限定されるものではない。
【符号の説明】
【００５８】
１…本体キャビネット、６…外扉、１０…商品搬出装置、１１…基板、１１ａ，１１ｂ，１１ｃ，１１ｄ…フランジ、１２…第１ストッパ部材、１３…第２ストッパ部材、１４…軸受部材、１５…リンク部材、１６…回動ストッパ、１７…ソレノイド、１８…売切検出スイッチ、２０…可動バー、２１…舌片、３０…ガイド部材、３１…トンネル、５０…連結部材、５２…引出片、５３…連結片、６０…スライド部材、８０…長穴、１５１…下リンク軸、５２１…フック、５３１…フック、６１１…引き外し穴、６１２…保持穴、６２１…押圧片、８０１…膨出部、８０２…挿脱溝、Ｐ…ピン部材。
【図１】
2015079365.tif 000003
【図２】
2015079365.tif 000004
【図３】
2015079365.tif 000005
【図４】
2015079365.tif 000006
【図５】
2015079365.tif 000007
【図６】
2015079365.tif 000008
【図７】
2015079365.tif 000009
【図８】
2015079365.tif 000010
【図９】
2015079365.tif 000011
【図１０】
2015079365.tif 000012
【図１１】
2015079365.tif 000013